(57)【要約】【課題】簡略化された構造を有し冷却効果の高いガス放出機構を有すると共にガス漏れを抑制できるキャンロールと該ロールを用いた長尺基板処理装置、長尺基板処理方法を提供すること。【解決手段】このキャンロールは、非回転軸76と、ガス放出孔73が設けられた円筒部を有し非回転軸に回転可能に装着されたキャンロール本体71と、長尺基板が巻き付けられる領域の円筒部内周面近傍に配置され非回転軸に設けられた配管80を介し冷媒が供給されるクライオ冷却パネル84と、非回転軸に設けられ円筒部の内側空間にガスを放出するガス導入管81と、長尺基板が巻き付けられない領域の円筒部内周面と接するように配置され長尺基板が巻き付けられない角度範囲のガス放出孔を閉止するガス放出防止部材72と、キャンロール本体を回転駆動する駆動手段を具備することを特徴とする。【選択図】図１
2016079494.tif 000002
【特許請求の範囲】
【請求項１】
真空チャンバー内においてロールツーロールで搬送される長尺基板を外周面に巻き付けて冷却するキャンロールにおいて、
筒状の非回転軸と、
外周面に複数のガス放出孔が設けられた円筒部と、該円筒部の開放端側を閉止しかつ中心部に開口が設けられた一対の円形側部を有すると共に、上記非回転軸が各円形側部の開口に嵌入されて各円形側部が非回転軸に回転可能に装着されたキャンロール本体と、
上記キャンロール本体の円筒部外周面に長尺基板が搬入される搬入部を始点とし長尺基板が搬出される搬出部を終点とする円筒部外周面の接触領域に位置した上記円筒部の内周面近傍部位に配置され、かつ、上記非回転軸の筒内に設けられた配管を介し真空チャンバー外部の冷凍機から冷媒が供給される冷却パネル若しくは冷却コイルと、
上記非回転軸の筒内に設けられ、かつ、真空チャンバーの外部から供給されるガスを円筒部の内側空間に放出するガス導入管と、
長尺基板が搬出される上記搬出部を始点とし長尺基板が搬入される上記搬入部を終点とする円筒部外周面の非接触領域に位置した円筒部の内周面に当接するように配置され、かつ、上記円筒部のガス放出孔を円筒部内側から閉止するガス放出防止部材と、
上記キャンロール本体を回転駆動する駆動手段を具備し、
上記キャンロール本体の円筒部と該円筒部内のガスが冷却パネル若しくは冷却コイルにより冷却されるようになっていることを特徴とするキャンロール。
【請求項２】
上記非回転軸に基端側が固定された断面略扇形状の防止部材本体と、該防止部材本体の先端側に設けられかつ上記円筒部の内周面に当接すると共に耐摩耗性を有するシール部材と、上記防止部材本体の先端側に埋設されかつシール部材を上記円筒部の内周面に向けて押圧する弾性部材とで上記ガス放出防止部材が構成されていることを特徴とする請求項１に記載のキャンロール。
【請求項３】
上記真空チャンバー内における円筒部の外側でかつ冷却パネル若しくは冷却コイルと対向する領域に、真空チャンバー外部の冷凍機から配管を介し冷媒が供給される第二冷却パネル若しくは冷却コイルが設けられていることを特徴とする請求項１または２に記載のキャンロール。
【請求項４】
真空チャンバーと、該真空チャンバー内においてロールツーロールで長尺基板を搬送する搬送機構と、外周面に長尺基板を巻き付けて冷却するキャンロールと、キャンロールの外周面に巻き付けられた長尺基板に対して熱負荷の掛かる表面処理を施す処理手段を備えた長尺基板処理装置において、
請求項１〜３のいずれかに記載のキャンロールにより上記キャンロールが構成されていることを特徴とする長尺基板処理装置。
【請求項５】
上記熱負荷の掛かる表面処理が真空成膜処理であることを特徴とする請求項４に記載の長尺基板処理装置。
【請求項６】
上記真空成膜処理がスパッタリング処理であることを特徴とする請求項５に記載の長尺基板処理装置。
【請求項７】
上記熱負荷の掛かる表面処理がプラズマ処理またはイオンビーム処理であることを特徴とする請求項４に記載の長尺基板処理装置。
【請求項８】
真空チャンバー内においてロールツーロールで搬送される長尺基板をキャンロールの外周面に巻き付けると共に、キャンロールの外周面に設けられた複数のガス放出孔から上記外周面と長尺基板との間に冷却ガスを導入しながら長尺基板に対して熱負荷の掛かる表面処理を行う長尺基板処理方法において、
上記キャンロールを、筒状の非回転軸と、外周面に複数のガス放出孔が設けられた円筒部と該円筒部の開放端側を閉止しかつ中心部に開口が設けられた一対の円形側部を有すると共に上記非回転軸が各円形側部の開口に嵌入されて各円形側部が非回転軸に回転可能に装着されたキャンロール本体と、上記キャンロール本体の円筒部外周面に長尺基板が搬入される搬入部を始点とし長尺基板が搬出される搬出部を終点とする円筒部外周面の接触領域に位置した上記円筒部の内周面近傍部位に配置されかつ上記非回転軸の筒内に設けられた配管を介し真空チャンバー外部の冷凍機から冷媒が供給される冷却パネル若しくは冷却コイルと、上記非回転軸の筒内に設けられかつ真空チャンバーの外部から供給されるガスを円筒部の内側空間に放出するガス導入管と、長尺基板が搬出される上記搬出部を始点とし長尺基板が搬入される上記搬入部を終点とする円筒部外周面の非接触領域に位置した円筒部の内周面に当接するように配置されかつ上記円筒部のガス放出孔を円筒部内側から閉止するガス放出防止部材と、上記キャンロール本体を回転駆動する駆動手段とで構成し、
キャンロール本体の円筒部と該円筒部内のガスを上記冷却パネル若しくは冷却コイルにより冷却しながらキャンロール外周面に巻き付けられた長尺基板に対し熱負荷の掛かる表面処理を行うことを特徴とする長尺基板処理方法。
【請求項９】
上記熱負荷の掛かる表面処理が真空成膜処理であることを特徴とする請求項８に記載の長尺基板処理方法。
【請求項１０】
上記真空成膜処理がスパッタリング処理であることを特徴とする請求項９に記載の長尺基板処理方法。
【請求項１１】
上記熱負荷の掛かる表面処理がプラズマ処理またはイオンビーム処理であることを特徴とする請求項８に記載の長尺基板処理方法。
【発明の詳細な説明】
【技術分野】
【０００１】
本発明は、真空チャンバー内においてロールツーロールで搬送される長尺耐熱性樹脂フィルム等の長尺基板をキャンロールの外周面に巻き付けた状態でイオンビーム処理やスパッタリング成膜等の熱負荷が掛かる表面処理を行う長尺基板処理装置に係り、特に、簡略化された構造を有しかつ冷却効果の高いガス放出機構を有すると共にフィルムが巻き付けられないキャンロール外周面からのガス漏れを抑制できるキャンロールとこのキャンロールを用いた長尺基板処理装置および長尺基板処理方法の改良に関するものである。
【背景技術】
【０００２】
液晶パネル、ノートパソコン、デジタルカメラ、携帯電話等には、フレキシブル配線基板が用いられている。フレキシブル配線基板は、耐熱性樹脂フィルムの片面若しくは両面に金属膜を成膜した金属膜付耐熱性樹脂フィルムから作製される。近年、フレキシブル配線基板に形成される配線パターンはますます微細化、高密度化しており、金属膜付耐熱性樹脂フィルム自体が皺等のない平滑なものであることがより一層重要になってきている。
【０００３】
この種の金属膜付耐熱性樹脂フィルムの製造方法としては、接着剤により金属箔を耐熱性樹脂フィルムに貼り付けて製造する方法（３層基板の製造方法と称される）、金属箔に耐熱性樹脂溶液をコーティングした後、乾燥させて製造する方法（キャスティング法と称される）、乾式めっき法（真空成膜法）若しくは乾式めっき法（真空成膜法）と湿式めっき法との組み合わせにより耐熱性樹脂フィルムに金属膜を成膜して製造する方法（メタライジング法と称される）等が従来から知られている。また、メタライジング法における上記乾式めっき法（真空成膜法）には、真空蒸着法、スパッタリング法、イオンプレーティング法、イオンビームスパッタリング法等がある。
【０００４】
上記メタライジング法として、特許文献１では、ポリイミド絶縁層上にクロムをスパッタリングした後、銅をスパッタリングしてポリイミド絶縁層上に導体層を形成する方法が開示されている。また、特許文献２では、ポリイミドフィルム上に、銅ニッケル合金をターゲットとしてスパッタリングにより形成された第一の金属薄膜と、銅をターゲットとしてスパッタリングにより形成された第二の金属薄膜の順に積層して形成されたフレキシブル回路基板用材料が開示されている。尚、ポリイミドフィルムのような耐熱性樹脂フィルム（基板）に真空成膜を行うには、スパッタリングウェブコータを用いることが一般的である。
【０００５】
上述した真空成膜法において、一般にスパッタリング法は密着力に優れる反面、真空蒸着法に較べて耐熱性樹脂フィルムに与える熱負荷が大きいといわれている。そして、成膜の際に耐熱性樹脂フィルムに大きな熱負荷が掛かると、フィルムに皺が発生し易くなることも知られている。この皺の発生を防ぐため、金属膜付耐熱性樹脂フィルムの製造装置であるスパッタリングウェブコータでは冷却機能を備えたキャンロールを搭載し、これを回転駆動してその外周面に画定される搬送経路にロールツーロールで搬送される耐熱性樹脂フィルムを巻き付けることによってスパッタリング処理中の耐熱性樹脂フィルムをその裏面側から冷却する方式が採用されている。
【０００６】
例えば特許文献３には、スパッタリングウェブコータの一例である巻出巻取式（ロールツーロール方式）真空スパッタリング装置が開示されている。この巻出巻取式真空スパッタリング装置には上記キャンロールの役割を担うクーリングロールが具備されており、更にクーリングロールの少なくともフィルム搬入側若しくは搬出側に設けたサブロールによってフィルムをクーリングロールに密着する制御が行われている。
【０００７】
しかし、非特許文献１に記載されているように、キャンロールの外周面はミクロ的に見て平坦ではないため、キャンロールとその外周面に密着して搬送されるフィルムとの間には真空空間を介して離間するギャップ部（間隙）が存在している。このため、スパッタリングや蒸着の際に生じるフィルムの熱は、実際にはフィルムからキャンロールに効率よく伝熱されているとはいえず、これがフィルム皺発生の原因となっていた。
【０００８】
そこで、上記キャンロール外周面とフィルムとの間のギャップ部にキャンロール側からガスを導入し、ギャップ部の熱伝導率を真空に較べて高くする技術が提案されている。
【０００９】
そして、ギャップ部にキャンロール側からガスを導入する具体的な方法として、例えば特許文献４には、キャンロール外周面にガスの放出口となる多数の微細孔を設ける技術が開示され、特許文献５には、キャンロール外周面にガスの放出口となる溝を設ける技術が開示されている。また、キャンロール自体を多孔質体で構成し、その多孔質体自身の微細孔をガス放出口とする方法も知られている。
【００１０】
ところで、キャンロール外周面にガスの放出口となる微細孔や溝等を設ける方法において、キャンロールの外周面にフィルムが巻き付けられていない領域はフィルムが巻き付けられている領域に較べてガスの放出口における抵抗が低くなる。このため、キャンロールに供給されるガスの大半が、フィルムの巻き付けられていない領域のガス放出口から真空チャンバーの空間へ放出されてしまい、この結果、キャンロールの外周面とそこに巻き付けられているフィルムとの間のギャップ部に本来導入されるべき量のガスが供給されなくなって、上述した熱伝導率を高める効果が得られなくなることがあった。
【００１１】
この問題に対しては、キャンロールの外周面から出没するバルブをガス放出口に設け、このバルブをフィルム面で押さえつけることによってガス放出口を開放する方法（特許文献５）や、上記キャンロール外周面の内、フィルムが搬出される搬出部を始点としフィルムが搬入される搬入部を終点とするキャンロール外周面にフィルムが巻き付けられない領域（すなわち、キャンロール外周面にフィルムが接触しない非接触領域）にカバーを取り付け、真空チャンバーの空間へ非接触領域からガスが放出されるのを防止してキャンロール外周面とフィルム表面とのギャップ部に良好にガスを導入させる方法（特許文献６参照）等が提案されている。
【００１２】
しかし、キャンロール外周面から出没するバルブをフィルム面で押さえつけてガス放出口を開放させる特許文献５の方法は、バルブの接触によりフィルム面に僅かなキズや凹みを生じさせる恐れがあり、高い品質が要求される電子機器を用途とするフレキシブル配線基板の製造に採用することは難しかった。また、キャンロール外周面の内、フィルムが接触しない非接触領域にカバーを取り付ける特許文献６の方法は、高い真空度で成膜を行う処理装置においてカバーとキャンロール外周面との隙間からガスが漏れ易く、特許文献５の方法と同様、採用が困難であった。
【００１３】
このような技術的背景の下、特許文献７には、ガス導入機構を備え、かつ、フィルムが巻き付けられないキャンロール外周面へガスを供給しない構造にして非接触領域からのガス放出を防止するキャンロールが開示されている。すなわち、図５〜図７に示すように、キャンロール５６の肉厚部に複数のガス導入路１４が設けられ、かつ、各ガス導入路１４には多数のガス放出孔１５が設けられていると共に、上記ガス導入路１４の各々に真空チャンバー外部のガスが供給されるガスロータリージョイント２０を備えたキャンロールが開示されている。そして、上記ガスロータリージョイント２０は、図７に示すようにガス導入側の固定リングユニット２２とガス放出側の回転リングユニット２１とで構成され、図６に示すように多数のガス放出孔１５が設けられたガス導入路１４は上記回転リングユニット２１内に設けられたガス供給路２３と連通し、かつ、該ガス供給路２３における摺接面２１ａの回転開口部２３ａは、図７に示すように上記固定リングユニット２２の摺接面２２ａの内、ガス分配路２４における略Ｃ字形状の固定開口部２４ａが設けられている部分と設けられていない部分にそれぞれ対向するように構成されている。
【００１４】
そして、キャンロール外周面にフィルムが巻き付けられないキャンロールの非接触領域に対応する場合、上記摺接面２１ａの回転開口部２３ａは、図７に示すようにガス分配路２４の固定開口部２４ａが設けられていない部分に対向してガス供給路２３とガス分配路２４は互いに切り離された状態になり、真空チャンバー５１外部からのガスがガス供給路２３へ供給されない構造になるためフィルムが巻き付けられないキャンロール外周面のガス放出孔１５からガスが放出されることはない。他方、キャンロール外周面にフィルムが巻き付けられるキャンロールの接触領域に対応する場合、上記摺接面２１ａの回転開口部２３ａは、図７に示すようにガス分配路２４の固定開口部２４ａが設けられている部分に対向してガス供給路２３とガス分配路２４は接続された状態となり、キャンロール外周面のガス放出孔１５からガスが放出されてキャンロール外周面とフィルム間のギャップ部にガスが導入されるようになっている。
【００１５】
ところで、特許文献６等に記載された従来のキャンロール構造と比較し、特許文献７のキャンロールは上述したような優れた利点を有しているが、その反面、特許文献７のキャンロールは、図６に示すようにキャンロール５６を冷却する機構が必要となり、水冷による冷却方法では、ガス放出キャンロール表面側におけるガス放出機構の内側に冷却水等の冷媒が流通する冷媒循環部１１を形成するようになっている。
【００１６】
そして、冷媒（冷却水）で冷却されるキャンロールは、キャンロール内部に冷媒（冷却水）を循環させる必要があるため図６に示すように複雑な構造となり、かつ、循環させる冷媒（冷却水）に起因してキャンロールの回転抵抗が大きくなる問題を有する。更に、キャンロール５６の肉厚部に上述したガス導入路１４を複数設ける際、ガンドリルを使用する必要があるため、莫大な手間とコストがかかる問題を有している。
【先行技術文献】
【特許文献】
【００１７】
【特許文献１】特開平２−９８９９４号公報
【特許文献２】特許第３４４７０７０号公報
【特許文献３】特開昭６２−２４７０７３号公報
【特許文献４】ＰＣＴ  ＷＯ  ２００５／００１１５７  Ａ２
【特許文献５】米国特許第３４１４０４８号明細書
【特許文献６】ＰＣＴ  ＷＯ  ０２／０７０７７８  Ａ１
【特許文献７】特開２０１２−１３２０８１号公報
【非特許文献】
【００１８】
【非特許文献１】“Vacuum Heat Transfer Models for Web Substrates: Review of Theory and Experimental Heat Transfer Data”, 2000 Society of Vacuum Coaters, 43rdAnnual Technical Conference Proceeding, Denver, April 15-20, 2000, p.335
【非特許文献２】“Improvement of Web Condition by the Deposition Drum Design”, 2000 Society of Vacuum Coaters, 50thAnnual Technical Conference Proceeding (2007), p.749
【発明の概要】
【発明が解決しようとする課題】
【００１９】
本発明はこのような問題点に着目してなされたものであり、その課題とするところは、簡略化された構造を有しかつ冷却効果の高いガス放出機構を有すると共にフィルムが巻き付けられないキャンロール外周面からのガス漏れを抑制できるキャンロールを提供し、合わせて上記ガス放出機構付きキャンロールを用いた長尺基板処理装置および長尺基板処理方法を提供することにある。
【課題を解決するための手段】
【００２０】
そこで、上記課題を解決するため本発明者が鋭意研究を重ねた結果、キャンロール内部に冷却水循環路等を設ける従来の構造に変えて冷却パネル若しくは冷却コイルとガス放出防止部材をキャンロール内部に設け、該冷却パネル若しくは冷却コイルによりキャンロール内部に供給されたガスとキャンロール本体を冷却し、ガス放出防止部材によりフィルムが巻き付けられないキャンロール外周面からのガス漏れを抑制する構造を採用することで解決できることを見出すに至った。
【００２１】
すなわち、本発明に係る第１の発明は、
真空チャンバー内においてロールツーロールで搬送される長尺基板を外周面に巻き付けて冷却するキャンロールにおいて、
筒状の非回転軸と、
外周面に複数のガス放出孔が設けられた円筒部と、該円筒部の開放端側を閉止しかつ中心部に開口が設けられた一対の円形側部を有すると共に、上記非回転軸が各円形側部の開口に嵌入されて各円形側部が非回転軸に回転可能に装着されたキャンロール本体と、
上記キャンロール本体の円筒部外周面に長尺基板が搬入される搬入部を始点とし長尺基板が搬出される搬出部を終点とする円筒部外周面の接触領域に位置した上記円筒部の内周面近傍部位に配置され、かつ、上記非回転軸の筒内に設けられた配管を介し真空チャンバー外部の冷凍機から冷媒が供給される冷却パネル若しくは冷却コイルと、
上記非回転軸の筒内に設けられ、かつ、真空チャンバーの外部から供給されるガスを円筒部の内側空間に放出するガス導入管と、
長尺基板が搬出される上記搬出部を始点とし長尺基板が搬入される上記搬入部を終点とする円筒部外周面の非接触領域に位置した円筒部の内周面に当接するように配置され、かつ、上記円筒部のガス放出孔を円筒部内側から閉止するガス放出防止部材と、
上記キャンロール本体を回転駆動する駆動手段を具備し、
上記キャンロール本体の円筒部と該円筒部内のガスが冷却パネル若しくは冷却コイルにより冷却されるようになっていることを特徴とする。
【００２２】
また、本発明に係る第２の発明は、
真空チャンバーと、該真空チャンバー内においてロールツーロールで長尺基板を搬送する搬送機構と、外周面に長尺基板を巻き付けて冷却するキャンロールと、キャンロールの外周面に巻き付けられた長尺基板に対して熱負荷の掛かる表面処理を施す処理手段を備えた長尺基板処理装置において、
第１の発明に記載のキャンロールにより上記キャンロールが構成されていることを特徴とし、
本発明に係る第３の発明は、
真空チャンバー内においてロールツーロールで搬送される長尺基板をキャンロールの外周面に巻き付けると共に、キャンロールの外周面に設けられた複数のガス放出孔から上記外周面と長尺基板との間に冷却ガスを導入しながら長尺基板に対して熱負荷の掛かる表面処理を行う長尺基板処理方法において、
上記キャンロールを、筒状の非回転軸と、外周面に複数のガス放出孔が設けられた円筒部と該円筒部の開放端側を閉止しかつ中心部に開口が設けられた一対の円形側部を有すると共に上記非回転軸が各円形側部の開口に嵌入されて各円形側部が非回転軸に回転可能に装着されたキャンロール本体と、上記キャンロール本体の円筒部外周面に長尺基板が搬入される搬入部を始点とし長尺基板が搬出される搬出部を終点とする円筒部外周面の接触領域に位置した上記円筒部の内周面近傍部位に配置されかつ上記非回転軸の筒内に設けられた配管を介し真空チャンバー外部の冷凍機から冷媒が供給される冷却パネル若しくは冷却コイルと、上記非回転軸の筒内に設けられかつ真空チャンバーの外部から供給されるガスを円筒部の内側空間に放出するガス導入管と、長尺基板が搬出される上記搬出部を始点とし長尺基板が搬入される上記搬入部を終点とする円筒部外周面の非接触領域に位置した円筒部の内周面に当接するように配置されかつ上記円筒部のガス放出孔を円筒部内側から閉止するガス放出防止部材と、上記キャンロール本体を回転駆動する駆動手段とで構成し、
キャンロール本体の円筒部と該円筒部内のガスを上記冷却パネル若しくは冷却コイルにより冷却しながらキャンロール外周面に巻き付けられた長尺基板に対し熱負荷の掛かる表面処理を行うことを特徴とするものである。
【発明の効果】
【００２３】
本発明に係るキャンロールは、
筒状の非回転軸と、外周面に複数のガス放出孔が設けられた円筒部と該円筒部の開放端側を閉止しかつ中心部に開口が設けられた一対の円形側部を有すると共に上記非回転軸が各円形側部の開口に嵌入されて各円形側部が非回転軸に回転可能に装着されたキャンロール本体と、上記キャンロール本体の円筒部外周面に長尺基板が搬入される搬入部を始点とし長尺基板が搬出される搬出部を終点とする円筒部外周面の接触領域に位置した上記円筒部の内周面近傍部位に配置されかつ上記非回転軸の筒内に設けられた配管を介し真空チャンバー外部の冷凍機から冷媒が供給される冷却パネル若しくは冷却コイルと、上記非回転軸の筒内に設けられかつ真空チャンバーの外部から供給されるガスを円筒部の内側空間に放出するガス導入管と、長尺基板が搬出される上記搬出部を始点とし長尺基板が搬入される上記搬入部を終点とする円筒部外周面の非接触領域に位置した円筒部の内周面に当接するように配置されかつ上記円筒部のガス放出孔を円筒部内側から閉止するガス放出防止部材と、上記キャンロール本体を回転駆動する駆動手段とで構成され、キャンロール内部に冷却水循環路等を設ける従来のキャンロールに較べて構造が簡略化されているため、簡便に低コストで製造することができ、かつ、キャンロール本体における円筒部のガス放出孔がガス放出防止部材により閉止されるため、長尺基板が巻き付けられないキャンロール外周面からのガス漏れを抑制できる効果を有する。
【００２４】
また、本発明に係るキャンロールを適用することで長尺耐熱性樹脂フィルム等の長尺基板に皺や傷等が発生し難い長尺基板処理装置等を低コストで提供できる効果も有する。
【図面の簡単な説明】
【００２５】
【図１】本発明に係るキャンロールの概略構成を示す説明図。
【図２】本発明に係るキャンロールの概略断面図。
【図３】本発明の変形例に係るキャンロールの概略断面図。
【図４】キャンロールが組み込まれた長尺基板処理装置（スパッタリングウェブコータ）の概略構成を示す説明図。
【図５】キャンロール内部に冷却水循環路等が設けられた従来のキャンロールを示す概略斜視図。
【図６】従来のキャンロールの概略構成を示す説明図。
【図７】従来のキャンロールが具備するロータリージョイントの概略分解斜視図。
【図８】従来のキャンロールにおける肉厚部に設けられたガス導入路の概略斜視図。
【発明を実施するための形態】
【００２６】
以下、本発明の実施の形態について図面を用いて具体的に説明する。
【００２７】
（１）長尺基板処理装置（スパッタリングウェブコータ）
まず、長尺基板処理装置の一例である長尺基板真空成膜装置について説明する。
【００２８】
尚、長尺基板には、一例として長尺耐熱性樹脂フィルムを用いる場合について説明する。
【００２９】
また、長尺基板に対して施される熱負荷の掛かる表面処理として、スパッタリング処理を例にとって説明する。
【００３０】
図４に示す長尺耐熱性樹脂フィルムの成膜装置はスパッタリングウェブコータと称される装置であり、ロールツーロールで搬送される長尺状耐熱樹脂フィルム表面に連続的に効率よく成膜処理を施す場合に用いられる。
【００３１】
具体的に説明すると、ロールツーロールで搬送される長尺耐熱性樹脂フィルムの成膜装置（スパッタリングウェブコータ）５０は、図４に示すように真空チャンバー５１内に設けられており、巻き出しロール５２から巻き出された長尺耐熱性樹脂フィルムＦに対して所定の成膜処理を行った後、巻き取りロール６４で巻き取るようになっている。これら巻き出しロール５２から巻き取りロール６４までの搬送経路の途中に、モータで回転駆動されるキャンロール５６が配置されている。
【００３２】
真空チャンバー５１内では、スパッタリング成膜のため、到達圧力１０-4Ｐａ程度までの減圧と、その後のスパッタリングガスの導入による０.１〜１０Ｐａ程度の圧力調整が行われる。スパッタリングガスにはアルゴン等公知のガスが使用され、目的に応じて更に酸素等のガスが添加される。真空チャンバー５１の形状や材質は、このような減圧状態に耐え得るものであれば特に限定はなく、種々のものを使用することができる。上記したように真空チャンバー５１内を減圧してその状態を維持するため、真空チャンバー５１には図示しないドライポンプ、ターボ分子ポンプ、クライオコイル等の種々の装置が具備されている。
【００３３】
巻き出しロール５２からキャンロール５６までの搬送経路には、長尺耐熱性樹脂フィルムＦを案内するフリーロール５３と、長尺耐熱性樹脂フィルムＦの張力の測定を行う張力センサロール５４とがこの順で配置されている。また、張力センサロール５４から送り出されてキャンロール５６に向かう長尺耐熱性樹脂フィルムＦは、キャンロール５６の近傍に設けられたモータ駆動のフィードロール５５によって、キャンロール５６の周速度に対する調整が行われ、これによりキャンロール５６の外周面に長尺耐熱性樹脂フィルムＦを密着させることができる。
【００３４】
キャンロール５６から巻き取りロール６４までの搬送経路も、上記同様に、キャンロール５６の周速度に対する調整を行うモータ駆動のフィードロール６１、長尺耐熱性樹脂フィルムＦの張力の測定を行う張力センサロール６２、および長尺耐熱性樹脂フィルムＦを案内するフリーロール６３がこの順に配置されている。
【００３５】
上記巻き出しロール５２および巻き取りロール６４では、パウダークラッチ等によるトルク制御によって長尺耐熱性樹脂フィルムＦの張力バランスが保たれている。また、キャンロール５６の回転とこれに連動して回転するモータ駆動のフィードロール５５、６１により、巻き出しロール５２から長尺耐熱性樹脂フィルムＦが巻き出されて巻き取りロール６４に巻き取られるようになっている。
【００３６】
キャンロール５６の近傍には、キャンロール５６の外周面で画定される搬送経路（すなわち、図４に示すように、キャンロール５６の外周面に長尺耐熱性樹脂フィルムＦが搬入される搬入部ａを始点とし、キャンロール５６の外周面から長尺耐熱性樹脂フィルムＦが搬出される搬出部ｂを時計回りで終点とする角度Ａの範囲に該当する、キャンロール５６外周面の内の長尺耐熱性樹脂フィルムＦがキャンロール５６に巻き付けられる接触領域）に対向する位置に、成膜手段としてのマグネトロンスパッタリングカソード５７、５８、５９および６０が設けられている。尚、図４に示す角度Ａのことを長尺耐熱性樹脂フィルムＦの「抱き角」と称することもある。
【００３７】
金属膜のスパッタリング成膜の場合は、図４に示すように板状のターゲットを使用することができるが、板状ターゲットを用いた場合、ターゲット上にノジュール（異物の成長）が発生することがある。これが問題になる場合は、ノジュールの発生がなく、ターゲットの使用効率も高い円筒形のロータリーターゲットを使用することが好ましい。
【００３８】
また、図４に示す長尺耐熱性樹脂フィルムＦの成膜装置５０は、熱負荷の掛かる表面処理としてスパッタリング処理を想定したものであるためマグネトロンスパッタリングカソードが図示されているが、熱負荷の掛かる表面処理がＣＶＤ（化学蒸着）、蒸着処理、プラズマ処理、イオンビーム処理等の他のものである場合は、板状ターゲットに代えて他の真空成膜手段が設けられる。
【００３９】
ところで、キャンロール５６外周面と長尺耐熱性樹脂フィルムＦ間のギャップ部にキャンロール５６側のガス放出孔からガスを導入して長尺耐熱性樹脂フィルムＦが冷却される従来法において、キャンロール５６外周面に長尺耐熱性樹脂フィルムＦが巻き付けられていない領域（すなわち、図４に示す搬出部ｂを始点とし、搬入部ａを時計回りで終点とする角度Ｂの範囲に該当する、キャンロール５６外周面の内の長尺耐熱性樹脂フィルムＦがキャンロール５６に巻き付けられない非接触領域）は、長尺耐熱性樹脂フィルムＦがキャンロール５６に巻き付けられる接触領域（図４に示す角度Ａの範囲に該当する領域）に較べてガス放出口における抵抗が低くなるため、キャンロール５６の非接触領域から真空チャンバー空間へほとんどのガスが放出されてしまう。このため、キャンロール５６外周面と長尺耐熱性樹脂フィルムＦ間のギャップ部に冷却用のガスが導入されなくなる問題を生じさせる。
【００４０】
（２）特許文献７に係る従来構造のガス放出機構付きキャンロール
（2-1）従来構造のガス放出機構付きキャンロール
次に、特許文献７に係る従来構造のガス放出機構付きキャンロールについて図５〜図７を参照しながら説明する。図５〜図７に示す従来構造のキャンロール５６は、図示しない駆動装置により回転中心軸を中心として回転駆動される円筒部材１０で構成されている。この円筒部材１０の外表面に長尺耐熱性樹脂フィルムＦを巻き付けながら搬送する搬送経路が画定される。円筒部材１０の内表面側には、冷却水等の冷媒が流通する冷媒循環部１１がジャケット構造で形成されている。
【００４１】
また、図６に示すように円筒部材１０の回転中心軸部分に位置する回転軸１２は二重配管構造になっており、この回転軸１２を介して真空チャンバー５１の外部に設けられた図示しない冷媒冷却装置と冷媒循環部１１との間で冷媒が循環するようになっており、これによりキャンロール外周面の温度調節が可能となっている。
【００４２】
すなわち、冷媒冷却装置で冷却された冷媒は、内側配管１２ａの内側を経て冷媒循環部１１に送られ、ここで長尺耐熱性樹脂フィルムＦの熱を受け取って昇温した後、内側配管１２ａと外側配管１２ｂとの間の空間を経て再び冷媒冷却装置に戻される。尚、外側配管１２ｂの外側には回転するキャンロール５６を支持するベアリング１３が設けられている。
【００４３】
このキャンロール５６の円筒部材１０には、周方向に略均等な間隔をあけて全周に亘って複数のガス導入路１４が配設されている。これら複数のガス導入路１４の各々は、キャンロール５６の回転中心線５６ａ方向に沿って延在するように円筒部材１０の肉厚部内に穿設されている。尚、図５には、１２本のガス導入路１４が均等な間隔をあけて全周に亘って配設されている例が示されている。
【００４４】
各ガス導入路１４は、円筒部材１０の外表面側（すなわち、キャンロール５６の外周面側）に開口する複数のガス放出孔１５を有している。これら複数のガス放出孔１５は、キャンロール５６の回転中心線５６ａ方向に沿って略均等な間隔をあけて穿設されている。そして、図５〜図７に示すように回転リングユニット２１と固定リングユニット２２から成るガスロータリージョイント２０を介して真空チャンバー５１の外部から各ガス導入路１４にガスが供給されるようになっており、これによりキャンロール５６の外周面とそこに巻き付けられる長尺耐熱性樹脂フィルムＦとの間に形成されるギャップ部（間隙）にガスを導入することが可能となる。
【００４５】
上記長尺耐熱性樹脂フィルムＦとキャンロール５６表面は上述したように完全な平面ではないため、そのギャップ部（間隙）が真空により断熱されて熱伝導効率を低下させており、スパッタリング成膜の際の熱による耐熱性樹脂フィルムＦの皺発生原因となっている。非特許文献２によれば、導入ガスがアルゴンガスの場合、導入ガス圧力が５００Ｐａでギャップ間距離が約４０μｍ以下のとき、ギャップ間の熱伝導率は２５０（Ｗ／ｍ2・Ｋ）となる。また、キャンロール５６の表面と長尺耐熱性樹脂フィルムＦのギャップ間距離が４０μｍ程度のとき、このギャップからリークするガスの量は長尺基板真空成膜装置が備える真空ポンプで排気可能であり、かつ、ギャップに導入するガスをスパッタリング雰囲気のガスとすればスパッタリング雰囲気を汚染することもない。
【００４６】
（2-2）ガスロータリージョイント
ガスロータリージョイント２０は回転物に対してガスを分配する機構を有する。
【００４７】
ガスロータリージョイント２０は、図７に示すようにガス導入側の固定リングユニット２２とガス放出側の回転リングユニット２１とで構成されており、図６に示すように多数のガス放出孔１５が設けられたガス導入路１４は上記回転リングユニット２１内に設けられたガス供給路２３と連通し、かつ、該ガス供給路２３における摺接面２１ａの回転開口部２３ａは、図７に示すように上記固定リングユニット２２の摺接面２２ａの内、ガス分配路２４における略Ｃ字形状の固定開口部２４ａが設けられている部分と上記固定開口部２４ａが設けられていない部分にそれぞれ対向するよう構成されている。
【００４８】
（2-2-1）図４に示す角度Ａの範囲に該当する領域
上記キャンロールの外周面にフィルムが巻き付けられるキャンロールの接触領域に対応する場合、摺接面２１ａの回転開口部２３ａは、図７に示すガス分配路２４の固定開口部２４ａが設けられている部分に対向してガス供給路２３とガス分配路２４が接続された状態となり、キャンロール外周面のガス放出孔１５からガスが放出されてキャンロール外周面とフィルム間のギャップ部にガスが導入されるようになっている。
【００４９】
（2-2-2）図４に示す角度Ｂの範囲に該当する領域
一方、上記キャンロールの外周面にフィルムが巻き付けられないキャンロールの非接触領域に対応する場合、摺接面２１ａの回転開口部２３ａは、図７に示すガス分配路２４の固定開口部２４ａが設けられていない部分に対向してガス供給路２３とガス分配路２４が互いに切り離された状態になり、真空チャンバー５１外部からのガスがガス供給路２３へ供給されない構造になるため、フィルムが巻き付けられないキャンロール外周面のガス放出孔１５からガスが放出されないようになっている。
【００５０】
尚、上記ガスロータリージョイント２０に公知のガスシール手段を具備させることにより、ガスロータリージョイント２０からのガスのリークを防ぐことができる。
【００５１】
（2-3）特許文献７に係る従来構造のガス放出機構付きキャンロールの問題点
従来構造のガス放出機構付きキャンロールにおいては、上述したようにキャンロール５６表面側におけるガス放出機構の内側に冷却水等の冷媒が流通する冷媒循環部１１を形成する必要があるため、図５〜図７に示すようにロール本体の構造が複雑になる欠点があり、かつ、循環させる冷媒（冷却水）に起因してキャンロール５６の回転抵抗が大きくなる欠点を有すると共に、真空チャンバー５１の外部からガスを供給するためのガスロータリージョイント２０が必要となる欠点を有している。
【００５２】
更に、図５に示すようにキャンロール５６の回転中心線５６ａ方向に沿って延在するように、円筒部材１０の肉厚部１００内にガンドリルを用いて複数のガス導入路１４を穿設する（図８参照）必要があるため、莫大な手間とコストがかかる問題を有している。
【００５３】
（３）本発明に係るガス放出機構付きキャンロール
本発明に係るガス放出機構付きキャンロールは、キャンロール内部に冷却水循環路等を設ける従来の構造に変えて、冷却パネル若しくは冷却コイルとガス放出防止部材をキャンロール内部に設け、該冷却パネル若しくは冷却コイルによりキャンロール内部に供給されたガスとキャンロール本体を冷却しかつガス放出防止部材によりフィルムが巻き付けられないキャンロール外周面からのガス漏れを抑制する構造が採用されていることを特徴とする。
【００５４】
以下、冷却パネル（クライオ冷却パネル）が適用されたガス放出機構付きキャンロールについて説明する。
【００５５】
（3-1）本発明に係るガス放出機構付きキャンロールの構成
本発明に係るガス放出機構付きキャンロール５６は、
図１に示すように真空チャンバー壁７０の取付け口に両端側を嵌入して装着された筒状の非回転軸７６と、
外周面に複数のガス放出孔７３が設けられた円筒部と、該円筒部の開放端側を閉止しかつ中心部に開口が設けられた一対の円形側部を有すると共に、上記非回転軸７６が各円形側部の開口に嵌入されて各円形側部が非回転軸７６に回転可能に装着されたキャンロール本体７１と、
上記キャンロール本体７１の円筒部外周面に長尺基板（長尺耐熱性樹脂フィルム）が搬入される搬入部を始点とし長尺基板（長尺耐熱性樹脂フィルム）が搬出される搬出部を終点とする円筒部外周面の接触領域に位置した上記円筒部の内周面近傍部位に配置され、かつ、上記非回転軸７６の筒内に設けられた配管８０を介し真空チャンバー外部の冷凍機から冷媒が供給される冷却パネル８４と、
上記非回転軸７６の筒内に設けられ、かつ、真空チャンバーの外部から供給されるガスを円筒部の内側空間に放出するガス導入管８１と、
長尺基板（長尺耐熱性樹脂フィルム）が搬出される上記搬出部を始点とし長尺基板（長尺耐熱性樹脂フィルム）が搬入される上記搬入部を終点とする円筒部外周面の非接触領域に位置した円筒部の内周面に当接するように配置され、かつ、上記円筒部のガス放出孔７３を円筒部内側から閉止するガス放出防止部材７２と、
上記キャンロール本体７１を回転駆動する駆動手段（キャンロール本体７１における一方の円形側部に取り付けられた歯車７７とモータ７９と該モータ７９の回転軸に取り付けられた歯車７８から成る）を具備することを特徴とするものである。
【００５６】
尚、冷却効率を高めるため、図１に示すように、キャンロール本体７１における円筒部の外側でかつ上記冷却パネル８４と対向する領域の真空チャンバー内に、該真空チャンバー外部の冷凍機から配管８５を介して冷媒が供給される第二冷却パネル８６を付設してもよい。
【００５７】
（3-2）本発明に係るガス放出機構付きキャンロールの冷却パネル（クライオ冷却パネル）
本発明に係るガス放出機構付きキャンロールの冷却パネル８４内部には−１００℃以下の冷媒が流れており、冷却パネル８４は以下の２つの効果によりキャンロール５６と長尺耐熱性樹脂フィルム（長尺基板）を冷却する。
【００５８】
（Ａ）冷却パネル８４と、キャンロール５６と長尺耐熱性樹脂フィルム（長尺基板）との温度差による輻射冷却。
【００５９】
（Ｂ）冷却パネル８４で冷やされたガスをキャンロール５６と長尺耐熱性樹脂フィルム（長尺基板）に吹き付けることによるガス冷却。
【００６０】
そして、上記輻射冷却を行うためには、冷却パネル８４とキャンロール５６と長尺耐熱性樹脂フィルム（長尺基板）との温度差が高いほど効率がよい。スパッタリング成膜時におけるキャンロール５６の温度は約２６３Ｋ（−１０℃）が好ましいので、冷却パネル８４とキャンロール５６と長尺耐熱性樹脂フィルム（長尺基板）との温度差を少なくとも２００Ｋ以上得るためには、冷却パネル８４を６３Ｋ（−２１０℃）以下にするとよい。
【００６１】
但し、冷却パネル８４を極端に冷却してしまうと、冷却パネル８４とキャンロール５６と長尺耐熱性樹脂フィルム（長尺基板）間に導入するガスが冷却パネル８４に凝縮してしまうことがある。冷却パネル８４とキャンロール５６と長尺耐熱性樹脂フィルム（長尺基板）間に導入された冷却ガスの圧力は、平衡蒸気圧曲線に従い冷却パネル８４温度における平衡蒸気圧よりも低くなければならない。別な言い方をすれば、冷却パネル８４の温度は、導入されたガスの圧力条件下においてガスの平衡蒸気圧曲線に従い該ガスが凝集する温度より高い温度でなければならない。すなわち、冷却パネル８４の温度は、冷却パネル８４とキャンロール５６と長尺耐熱性樹脂フィルム（長尺基板）間に導入されたガスの圧力により定まり、例えば、１００Ｐａのアルゴンガス圧力ならば５５Ｋ（−２１８℃）以上となる。
【００６２】
また、ガス導入管８１を介して導入するガスは、熱伝導性のよい、水素、ヘリウム、アルゴン、酸素等があり、ガス放出孔７３から真空チャンバー内へガスが拡散した際に成膜に影響を与えないガスがよく、ヘリウム、アルゴンが好ましい。
【００６３】
キャンロール５６は、輻射冷却によりキャンロール５６全体が冷却される仕組みになっている。非回転軸７６の筒内に設けられたガス導入管８１によりガス放出孔７３へガスが導かれる構造のため、従来構造のガス放出機構付きキャンロールにおいて円筒部材１０の肉厚部１００内に穿設されたガス導入路１４（図８参照）を設ける必要がない。ガス導入路１４はガンドリルを用いて穿設加工する工法のため膨大な手間と時間を費やしていた。
【００６４】
また、上記キャンロール本体７１の円形側部は、図１に示すように軸受（ベアリング）７４に支持され、かつ、Ｏリング７５によりシールされて、外部からモータ７９の駆動力が歯車７８、歯車７７を経由して伝達され、キャンロール５６が回転する。
【００６５】
尚、上記ガス放出孔７３の個数は、キャンロール５６外周面の内の長尺耐熱性樹脂フィルム（長尺基板）が巻き付けられる領域の面積や、ガス放出量により適宜定められる。各ガス放出孔７３の直径は、キャンロール５６の外周面とそこに巻き付けられる長尺耐熱性樹脂フィルム（長尺基板）との間に形成されるギャップ部（隙間）にガスを良好に導入できる大きさであれば特に限定されないが、一般的に、直径３０μｍ〜１０００μｍ程度が好ましい。また、キャンロール５６外周面には、極小の内径を有するガス放出孔７３を狭ピッチにして多数設けた方がキャンロール外周面の全面に亘って熱伝導性を均一化できるという点において好ましい。但し、極小内径を有する孔を狭ピッチで多数設ける加工技術には困難を伴うので、現実的には内径１５０〜５００μｍ程度の小孔を、５〜１０ｍｍピッチでキャンロール外周面に設けることが好ましい。
【００６６】
（3-3）本発明に係るガス放出機構付きキャンロールのガス放出防止部材
本発明に係るガス放出機構付きキャンロールのガス放出防止部材７２は、図１に示すように長尺耐熱性樹脂フィルム（長尺基板）が搬出される搬出部（図４の符号ｂ参照）を始点とし長尺耐熱性樹脂フィルム（長尺基板）が搬入される搬入部（図４の符号ａ参照）を時計まわりで終点とするキャンロール本体７１円筒部における外周面の非接触領域（図４に示す角度Ｂの範囲に該当する領域）に位置したキャンロール本体７１円筒部の内周面に当接するように配置され、キャンロール本体７１円筒部のガス放出孔７３を円筒部内側から閉止して長尺耐熱性樹脂フィルム（長尺基板）が巻き付けられないキャンロール外周面からのガス漏れを防止する機能を有するものである。
【００６７】
上記ガス放出防止部材７２の具体例としては、図２に示すように、筒状の非回転軸９０に基端側が固定された断面略扇形状を有する防止部材本体９１と、該防止部材本体９１の先端側に設けられかつ上記キャンロール本体円筒部９４の内周面に当接すると共に耐摩耗性を有するシール部材９２と、上記防止部材本体９１の先端側に埋設されかつシール部材９２を上記キャンロール本体円筒部９４の内周面に向けて押圧する弾性部材（スプリング）９３とでその主要部を構成するものが挙げられる。
【００６８】
また、上記シール部材９２としては、高い耐摩耗性を有するグラファイト配合のポリテトラフルオロエチレン［テフロン（登録商標）］等が例示される。また、シール部材９２の摩耗を防止するため、キャンロール本体における円筒部９４内周面のシール部材９２と接触する箇所に鏡面研磨加工を施すと共に、摩擦係数を低減するコーティング処理［例えば、ＤＬＣ、テフロン（登録商標）］を施すことが望ましい。
【００６９】
また、上記非接触領域（図４に示す角度Ｂの範囲に該当する領域）におけるキャンロール本体円筒部９４の内周面に亘ってシール部材９２が当接している図２に示す構造に変えて、上記非接触領域の両端側において２つのシール部材９８、９９が当接する図３に示す構造を採用してもよい。２つのシール部材９８、９９が当接する図３に示す構造は、上記円筒部９４内周面との接触面積が小さくなる分、図２に示す構造に較べて回転抵抗を少なくできる利点を有する。
【００７０】
尚、図２、図３の符号９５はガス導入管、符号９６は冷却パネル、符号９７は第二冷却パネルをそれぞれ示している。
【００７１】
（3-4）本発明に係るガス放出機構付きキャンロールの優位点
本発明に係るガス放出機構付きキャンロールは、キャンロール内部に冷却水循環路等を設ける従来の構造に変えて、冷却パネル若しくは冷却コイルとガス放出防止部材をキャンロール内部に設け、該冷却パネル若しくは冷却コイルによりキャンロール内部に供給されたガスとキャンロール本体を冷却しかつガス放出防止部材によりフィルムが巻き付けられないキャンロール外周面からのガス漏れを抑制する構造が採用されているため、従来構造のガス放出機構付きキャンロールと比較してロール構造の簡略化（図１と図６参照）が図れ、かつ、冷却水循環路等の冷媒循環部を設ける構造に変えて、図２に示すようにキャンロール本体円筒部９４の内周面近傍部位に冷却パネル９６を配置した構造になっているため、キャンロールにおける回転抵抗の低減が図れると共にガスロータリージョイントが不要となる優位点を有している。
【００７２】
更に、円筒部材の肉厚部内にガンドリルを用いてガス導入路が穿設される従来構造のガス放出機構付きキャンロールとは異なり、本発明に係るガス放出機構付きキャンロールは、図１に示すようにキャンロール本体７１円筒部の外周面にガス放出孔７３を設けた簡略な構造になっているため、製造に要する手間とコストの低減が図れる優位点を有している。
【００７３】
（４）長尺基板
長尺基板としては、金属箔や金属ストリップはもちろん樹脂フィルム等を用いることができる。
【００７４】
樹脂フィルムとしては、ポリエチレンテレフタレート（ＰＥＴ）フィルムのような樹脂フィルムやポリイミドフィルムのような耐熱性樹脂フィルムが挙げられる。
【００７５】
長尺基板に耐熱性樹脂フィルムを用い、本発明に係る長尺基板真空成膜装置（長尺基板処理装置）を用いて金属膜をスパッタリング成膜すれば金属膜付耐熱性樹脂フィルムを製造することができる。具体的には、上述した長尺基板処理装置（スパッタリングウェブコータ）を用いることにより、フィルム皺の不具合が無い金属膜付長尺耐熱性樹脂フィルムをメタライジング法で得ることができる。
【００７６】
上記金属膜付長尺耐熱性樹脂フィルムとしては、耐熱性樹脂フィルムの表面にＮｉ系合金等から成る膜とＣｕ膜が積層された構造体が例示される。このような構造を有する金属膜付耐熱性樹脂フィルムはサブトラクティブ法によりフレキシブル配線基板に加工される。ここで、サブトラクティブ法とは、レジストで覆われていない金属膜（例えば、上記Ｃｕ膜）をエッチングにより除去してフレキシブル配線基板を製造する方法である。上記Ｎｉ合金等から成る膜はシード層と呼ばれ、金属膜付耐熱性樹脂フィルムの電気絶縁性や耐マイグレーション性等の所望の特性によりその組成が選択される。そして、シード層には、Ｎｉ−Ｃｒ合金やインコネルやコンズタンタンやモネル等の各種公知の合金を用いることができる。
【００７７】
また、金属膜付長尺耐熱性樹脂フィルムの金属膜（Ｃｕ膜）を更に厚くしたい場合、湿式めっき法を用いて金属膜を形成することがある。そして、電気めっき処理のみで金属膜を形成する場合と、一次めっきとして無電解めっき処理を行い、二次めっきとして電解めっき処理等の湿式めっき法を組み合わせて行う場合がある。湿式めっき処理は、常法による湿式めっき法の諸条件を採用すればよい。
【００７８】
また、上記金属膜付耐熱性樹脂フィルムに用いる耐熱性樹脂フィルムとしては、例えば、ポリイミド系フィルム、ポリアミド系フィルム、ポリエステル系フィルム、ポリテトラフルオロエチレン系フィルム、ポリフェニレンサルファイド系フィルム、ポリエチレンナフタレート系フィルムまたは液晶ポリマー系フィルムから選ばれる樹脂フィルムが挙げられ、金属膜付フレキシブル基板としての柔軟性、実用上必要な強度、配線材料として好適な電気絶縁性を有する点から好ましい。
【００７９】
尚、上記金属膜付耐熱性樹脂フィルムとして、長尺耐熱性樹脂フィルムへＮｉ-Ｃｒ合金やＣｕ等の金属膜を積層した構造体を例示したが、上記金属膜のほか、目的に応じて酸化物膜、窒化物膜、炭化物膜等の成膜に本発明の成膜方法を用いることが可能である。
【００８０】
（５）長尺基板処理装置
これまで、長尺基板処理装置として長尺基板真空成膜装置を中心に説明してきたが、長尺基板処理装置の場合には、減圧雰囲気下の真空チャンバー内において長尺基板にスパッタリング等の真空成膜に変えてプラズマ処理やイオンビーム処理等の熱負荷が掛かる表面処理を行うこともある。プラズマ処理やイオンビーム処理により長尺基板の表面を改質することが可能であるが、長尺基板に熱負荷が掛かる。熱負荷による長尺基板の皺発生を抑制するために、本発明に係るキャンロールを用いることが効果的であり、しかも処理雰囲気に多量の導入ガスがリークすることも防げる。
【００８１】
プラズマ処理は、公知のプラズマ処理方法、例えばアルゴンと酸素の混合ガスまたはアルゴンと窒素の混合ガスによる減圧雰囲気下において放電を行うことにより、酸素プラズマまたは窒素プラズマを発生させて長尺基板を処理することができる。
【００８２】
また、イオンビーム処理は、公知のイオンビーム源を用いることができる。イオンビーム処理は、強い磁場を印加した磁場ギャップでプラズマ放電を発生させて、プラズマ中の陽イオンを陽極による電解でイオンビームとして目的物（長尺基板）へ照射する処理である。
【００８３】
尚、プラズマ処理やイオンビーム処理とも減圧雰囲気下において行われる。
【実施例】
【００８４】
以下、本発明の実施例について比較例を挙げて具体的に説明する。
【００８５】
尚、組み込まれているガス放出機構付きキャンロールの構造が相違している点を除き、実施例１と比較例１は、図４に示す金属膜付長尺耐熱性樹脂フィルムの成膜装置（スパッタリングウェブコータ）５０を用い、かつ、幅５００ｍｍ、長さ８００ｍ、厚さ２５μｍの耐熱性ポリイミドフィルム［宇部興産株式会社製 ユーピレックス（登録商標）］から成る長尺耐熱性樹脂フィルムＦがそれぞれ使用されている。
【００８６】
［実施例１］
上記成膜装置（スパッタリングウェブコータ）５０に組み込まれた図１に示すガス放出機構付きキャンロール５６のキャンロール本体７１は、直径９００ｍｍ、幅７５０ｍｍのアルミニウムで構成され、かつ、ロール本体表面にハードクロムめっきが施されている。
【００８７】
また、図１に示す冷却パネル８４と第二冷却パネル８６には冷凍能力１００〜２００Ｗ（７７Ｋ）クラスを用い、かつ、キャンロール本体７１円筒部の内部と外部にそれぞれ設置すると共に、キャンロール本体７１円筒部と冷却パネル８４および第二冷却パネル８６の間隔はそれぞれ１０ｍｍとした。
【００８８】
また、キャンロール本体７１の円筒部外周面に、筒状の非回転軸（固定軸）７６を中心に、角度１°毎に３６０列、かつ、間隔１０ｍｍ毎に直径０．２ｍｍのガス放出孔７３が４７個［ガス放出孔７３の合計：（４７個／列）×３６０列＝１６９２０個］設けられており、長尺耐熱性樹脂フィルムＦの両端２０ｍｍ付近に対応する円筒部外周面に上記ガス放出孔７３は存在しない。また、キャンロール５６の駆動には、歯車（ギヤ）７７、７８で直接駆動せずに図示外のタイミングベルトを介して駆動した。
【００８９】
上記キャンロール５６の外周面に長尺耐熱性樹脂フィルムＦが巻き付けられない領域（図４に示す長尺耐熱性樹脂フィルムＦの搬出部ｂを始点とし、搬入部ａを時計回りで終点とする角度Ｂの範囲に該当する長尺耐熱性樹脂フィルムＦの非接触領域）における角度Ｂは約３０°であることからガス放出防止部材７２における図２に示す防止部材本体９１の中心角も３０°とし、かつ、図２に示すシール部材９２には高い耐摩耗性を有するグラファイト配合のポリテトラフルオロエチレン［テフロン（登録商標）］を採用した。
【００９０】
また、成膜する金属膜としては、シード層であるＮｉ−Ｃｒ膜の上にＣｕ膜を成膜するものとし、図４に示すマグネトロンスパッタターゲット５７にはＮｉ−Ｃｒターゲットを用い、マグネトロンスパッタターゲット５８、５９、６０にはＣｕターゲットを用い、かつ、アルゴンガスを３００ｓｃｃｍ導入すると共に、各カソードへの印加電力は１０ｋＷの電力制御で成膜を行った。尚、図４に示す巻き出しロール５１と巻き取りロール６４の張力は１００Ｎとした。
【００９１】
また、キャンロール５６の冷却は冷却パネル８４と第二冷却パネル８６の輻射冷却により−２０℃に制御しているが、長尺耐熱性樹脂フィルムＦとキャンロール５６との熱伝導効率が良好でないと冷却効果は期待できない。
【００９２】
そして、巻き出しロール５２に長尺耐熱性樹脂フィルムＦをセットし、かつ、上記キャンロール５６を経由して長尺耐熱性樹脂フィルムＦの先端部を巻き取りロール６４に取り付けた。
【００９３】
また、真空チャンバー５１を複数台のドライポンプにより５Ｐａまで排気した後、更に、複数台のターボ分子ポンプとクライオコイルを用いて３×１０-3Ｐａまで排気した。
【００９４】
そして、長尺耐熱性樹脂フィルムＦの搬送速度を３ｍ／分に設定した後、各マグネトロンスパッタカソード５７、５８、５９、６０にアルゴンガスを導入しかつ電力を印加して、Ｎｉ−Ｃｒ膜のシード層とＣｕ膜の成膜を開始した。
【００９５】
また、長尺耐熱性樹脂フィルムＦとキャンロール５６との間に形成されるギャップ部（間隙）にガス圧力を５００Ｐａに保つため、非回転軸（固定軸）７６の筒内に設けられたガス導入管８１にマスフローコントローラーを用いて１００ｓｃｃｍのアルゴンガスを導入した。上記ギャップ部（間隙）に導入するガスはアルゴンガスに限定されるものでなく、スパッタリング成膜に影響がなければ、上述した水素、ヘリウム、酸素、および、窒素、ネオン等が使用できる。
【００９６】
尚、成膜中におけるキャンロール５６上の長尺耐熱性樹脂フィルム（耐熱性ポリイミドフィルム）Ｆ表面を観察できる観察窓から、キャンロールへのガス導入を行っている６００ｍまでの長尺耐熱性樹脂フィルム（耐熱性ポリイミドフィルム）Ｆを観察しところ、マグネトロンスパッタリングカソード５７、５８、５９、６０の成膜ゾーンを通過した成膜直後における長尺耐熱性樹脂フィルム（耐熱性ポリイミドフィルム）Ｆの進行方向と平行な方向に、皺発生の原因となるキャンロール５６上における長尺耐熱性樹脂フィルム（耐熱性ポリイミドフィルム）Ｆの浮きが観察されることは無かった。
【００９７】
そして、長さ６００ｍの長尺耐熱性樹脂フィルムＦが通過した時点で、各プラズマ反応室のプラズマと各マグネトロンスパッタカソードへの電力を停止し、かつ、それぞれのガス導入も停止した。
【００９８】
最後に、長尺耐熱性樹脂フィルムＦの搬送を停止し、かつ、各ポンプを停止してからベント（大気開放）し、巻き出しロール５２から長尺耐熱性樹脂フィルム（耐熱性ポリイミドフィルム）Ｆの終端部を外し、全ての長尺耐熱性樹脂フィルム（耐熱性ポリイミドフィルム）Ｆを巻き取りロール６４に巻き取ってから取り外した。
【００９９】
そして、成膜が完了した後、巻き取りロール６４に巻き取られた長尺耐熱性樹脂フィルム（耐熱性ポリイミドフィルム）Ｆを大気中にて展開し、皺および傷の有無を確認したところ、キャンロール５６へのガス導入を行っていた０〜６００ｍまでの間に皺および傷は確認されなかった。
【０１００】
［比較例１］
上記成膜装置（スパッタリングウェブコータ）５０に組み込まれた図５〜図７に示すガス放出機構付きキャンロール５６の円筒部材１０は、直径９００ｍｍ、幅７５０ｍｍのアルミニウムで構成され、かつ、円筒部材１０の表面にハードクロムめっきが施されている。
【０１０１】
また、ジャケットロール構造を有する円筒部材１０の肉厚部内に直径４ｍｍの３６０本のガス導入路１４を穿設すると共に、１本のガス導入路１４に対し間隔１０ｍｍ毎に直径０．２ｍｍのガス放出孔１５が４７個［ガス放出孔１５の合計：（４７個／列）×３６０列＝１６９２０個］設けられており、実施例１と同様、長尺耐熱性樹脂フィルムＦの両端２０ｍｍ付近に対応する円筒部材１０外周面にガス放出孔１５は存在しない。尚、このキャンロール５６は、図６に示すようにキャンロール５６と回転軸１２が一体化しているので全体が回転する機構になっている。
【０１０２】
キャンロール５６の外周面に長尺耐熱性樹脂フィルムＦが巻き付けられない領域（図４に示す長尺耐熱性樹脂フィルムＦの搬出部ｂを始点とし、搬入部ａを時計回りで終点とする角度Ｂの範囲に該当する非接触領域）の角度Ｂは約３０°で、この角度範囲におけるガス導入路１４は３０本になる。このため、図７に示すガスロータリージョイント２０におけるガス導入側の固定リングユニット２２に設けられる略Ｃ字形状の固定開口部２４ａの角度は３３０°となり、ガス導入側固定リングユニット２２の上記固定開口部２４ａが設けられた部位に対向するガス放出側回転リングユニット２１の回転開口部２３ａを介し、キャンロール５６の外周面に長尺耐熱性樹脂フィルムＦが巻き付けられる領域（図４に示す長尺耐熱性樹脂フィルムＦの搬入部ａを始点とし、搬出部ｂを時計回りで終点とする角度Ａの範囲に該当する接触領域）に位置するキャンロール外周面と長尺耐熱性樹脂フィルム間のギャップ部にガスが導入されるように構成されている。尚、キャンロール５６の３６０本のガス導入路１４を図５〜図７に示すガスロータリージョイント２０に直接接続するのは困難なため、ガス導入路１４の１０本をガス分配管（図示せず）に接続した後、図示外のガス導入チューブに接続している。
【０１０３】
また、実施例１と同様、成膜する金属膜は、シード層であるＮｉ−Ｃｒ膜の上にＣｕ膜を成膜するものとし、図４に示すマグネトロンスパッタターゲット５７にはＮｉ−Ｃｒターゲットを用い、マグネトロンスパッタターゲット５８、５９、６０にはＣｕターゲットを用い、かつ、アルゴンガスを３００ｓｃｃｍ導入すると共に、各カソードへの印加電力は１０ｋＷの電力制御で成膜を行った。尚、図４に示す巻き出しロール５１と巻き取りロール６４の張力は１００Ｎとした。
【０１０４】
また、キャンロール５６の冷媒循環部１１内には−２０℃に温度制御された冷熱媒を循環させたが、長尺耐熱性樹脂フィルム（耐熱性ポリイミドフィルム）Ｆとキャンロール５６との熱伝導効率が良好でないと冷却効果は期待できない。
【０１０５】
そして、巻き出しロール５２に長尺耐熱性樹脂フィルムＦをセットし、かつ、上記キャンロール５６を経由して長尺耐熱性樹脂フィルムＦの先端部を巻き取りロール６４に取り付けた。
【０１０６】
また、真空チャンバー５１を複数台のドライポンプにより５Ｐａまで排気した後、更に、複数台のターボ分子ポンプとクライオコイルを用いて３×１０-3Ｐａまで排気した。
【０１０７】
そして、長尺耐熱性樹脂フィルムＦの搬送速度を３ｍ／分に設定した後、各マグネトロンスパッタカソード５７、５８、５９、６０にアルゴンガスを導入しかつ電力を印加して、Ｎｉ−Ｃｒ膜のシード層とＣｕ膜の成膜を開始した。
【０１０８】
また、長尺耐熱性樹脂フィルムＦとキャンロール５６との間に形成されるギャップ部（間隙）にガス圧力を５００Ｐａに保つため、キャンロール５６に取り付けられた上記ガスロータリージョイント２０にはマスフローコントローラーを用いて１００ｓｃｃｍのアルゴンガスを導入した。尚、このガスは、アルゴンガスに限定されず、スパッタリング成膜に影響がなければ、酸素、窒素、ヘリウム、ネオン、水素等が利用できる。
【０１０９】
また、実施例１と同様、成膜中におけるキャンロール５６上の長尺耐熱性樹脂フィルム（耐熱性ポリイミドフィルム）Ｆ表面を観察できる観察窓から、キャンロール５６へのガス導入を行っている６００ｍまでの長尺耐熱性樹脂フィルム（耐熱性ポリイミドフィルム）Ｆを観察しところ、マグネトロンスパッタリングカソード５７、５８、５９、６０の成膜ゾーンを通過した成膜直後における長尺耐熱性樹脂フィルム（耐熱性ポリイミドフィルム）Ｆの進行方向と平行な方向に、皺発生の原因となるキャンロール５６上における長尺耐熱性樹脂フィルム（耐熱性ポリイミドフィルム）Ｆの浮きが観察されることは無かった。
【０１１０】
そして、長さ６００ｍの長尺耐熱性樹脂フィルムＦが通過した時点で、各プラズマ反応室のプラズマと各マグネトロンスパッタカソードへの電力を停止し、かつ、それぞれのガス導入も停止した。
【０１１１】
最後に、長尺耐熱性樹脂フィルムＦの搬送を停止し、かつ、各ポンプを停止してからベント（大気開放）し、巻き出しロール５２から長尺耐熱性樹脂フィルム（耐熱性ポリイミドフィルム）Ｆの終端部を外し、全ての長尺耐熱性樹脂フィルム（耐熱性ポリイミドフィルム）Ｆを巻き取りロール６４に巻き取ってから取り外した。
【０１１２】
そして、成膜が完了した後、巻き取りロール６４に巻き取られた長尺耐熱性樹脂フィルム（耐熱性ポリイミドフィルム）Ｆを大気中にて展開し、皺および傷の有無を確認したところ、キャンロール５６へのガス導入を行っていた０〜６００ｍまでの間に皺および傷は確認されなかった。
【０１１３】
［確  認］
図５〜図７に示した比較例１に係るガス放出機構付きキャンロールと比較し、図１に示す実施例１に係るガス放出機構付きキャンロールは、従来のガス導入路１４と冷媒循環部１１を具備しない簡略化された構造であるにも拘らず同等な性能を有しており、しかも、キャンロールの製造期間・コスト共に大幅に軽減でき、かつ、キャンロール本体が軽量のため小型のモータを使用できる等節電にも寄与できる優位性を有していることが確認される。
【産業上の利用可能性】
【０１１４】
本発明に係るガス放出機構付きキャンロールは、従来のガス放出機構付きキャンロールと較べて簡略化された構造であるにも拘らず同等な性能を有していることから低コストで提供できるため、液晶テレビ、携帯電話等のフレキシブル配線基板に用いられる銅張積層樹脂フィルム（金属膜付耐熱性樹脂フィルム）の製造装置並びに製造方法として適用される産業上の利用可能性を有している。
【符号の説明】
【０１１５】
１０  円筒部材
１１  冷媒循環部
１２  回転軸
１２ａ  内側配管
１２ｂ  外側配管
１３  ベアリング
１４  ガス導入路
１５  ガス放出孔
２０  ガスロータリージョイント
２１  回転リングユニット
２１ａ  摺接面
２２  固定リングユニット
２２ａ  摺接面
２３  ガス供給路
２３ａ  回転開口部
２４  ガス分配路
２４ａ  固定開口部
２５  連結配管
２６  供給配管
５０  成膜装置（スパッタリングウェブコータ）
５１  真空チャンバー
５２  巻き出しロール
５３  フリーロール
５４  張力センサロール
５５  フィードロール
５６  キャンロール
５６ａ  回転中心線
５７  マグネトロンスパッタリングカソード
５８  マグネトロンスパッタリングカソード
５９  マグネトロンスパッタリングカソード
６０  マグネトロンスパッタリングカソード
６１  フィードロール
６２  張力センサロール
６３  フリーロール
６４  巻き取りロール
７０  真空チャンバー壁
７１  キャンロール本体
７２  ガス放出防止部材
７３  ガス放出孔
７４  軸受（ベアリング）
７５  Ｏリング
７６  非回転軸（固定軸）
７７  歯車（ギヤ）
７８  歯車（ギヤ）
７９  モータ
８０  配管（冷媒配管）
８１  ガス導入管
８２  シール部材
８３  弾性部材（スプリング）
８４  冷却パネル（クライオ冷却パネル）
８５  配管（冷媒配管）
８６  第二冷却パネル
９０  非回転軸（固定軸）
９１  防止部材本体
９２  シール部材
９３  弾性部材（スプリング）
９４  円筒部
９５  ガス導入管
９６  冷却パネル
９７  第二冷却パネル
９８  シール部材
９９  シール部材
１００  肉厚部
ａ    搬入部
ｂ    搬出部
Ｆ    長尺耐熱性樹脂フィルム（長尺基板）
【図１】
2016079494.tif 000003
【図２】
2016079494.tif 000004
【図３】
2016079494.tif 000005
【図４】
2016079494.tif 000006
【図５】
2016079494.tif 000007
【図６】
2016079494.tif 000008
【図７】
2016079494.tif 000009
【図８】
2016079494.tif 000010